(57)【要約】【課題】  シェイプアップ機能付きボトムスにおいて、通常の下着の上に直接着用するだけで着心地良く下腹部を引き締めてスタイル良く見せられること。【解決手段】  シェイプアップ機能付きボトムスとしてのタイトスカート１は、ベルト部４が後中心ＢＣにおいて分離されてファスナー５が取付けられ、後中心ＢＣにはスリット６が設けられ、裏側に当て布７が取付けられている。そして破線で示すように、ベルト部４の下の腰回り裏側上部全周には伸縮性を有する生地としてのパワーネット３が引伸ばされた状態で裏地に縫付けられ、さらに下腹部が当接する部分には伸縮性を有する生地としてのパワーネット２が二重に縫付けられている。伸縮性を有するパワーネット２，３が縮もうとする力によって下腹部が出ている人でも押え付けられて平坦な下腹部のシルエットが得られ、前中心ＦＣにファスナー５が設けられていないために、効果的に下腹部を押さえることができる。【選択図】        図１
2006193866.tif 000002
【特許請求の範囲】
【請求項１】
ファスナーを前中心以外の場所に設けたボトムスの前面裏側の下腹部が当接する部分に伸縮性を有する生地を縫付け、前記伸縮性を有する生地に裏地を前記伸縮性を有する生地を引伸ばした状態で縫付けたことを特徴とするシェイプアップ機能付きボトムス。
【請求項２】
ファスナーを前中心以外の場所に設けたボトムスの前面裏側の下腹部が当接する部分を含む前記前面裏側の上部に伸縮性を有する生地を縫付け、前記伸縮性を有する生地に裏地を前記伸縮性を有する生地を引伸ばした状態で縫付けたことを特徴とするシェイプアップ機能付きボトムス。
【請求項３】
ファスナーを前中心以外の場所に設けたボトムスの前面裏側の下腹部が当接する部分を含む腰回り上部全周に伸縮性を有する生地を縫付け、前記伸縮性を有する生地に前後の裏地を前記伸縮性を有する生地を引伸ばした状態で縫付けたことを特徴とするシェイプアップ機能付きボトムス。
【請求項４】
前記伸縮性を有する生地を前記ボトムスの前面裏側の下腹部が当接する部分のみ二重に縫付けたことを特徴とする請求項２または請求項３に記載のシェイプアップ機能付きボトムス。
【発明の詳細な説明】
【技術分野】
【０００１】
本発明は、スカート（特にタイトスカート）・ズボン（パンツ）等のボトムスの下腹部を締め付けることによって、下腹部を美しく見せることができるシェイプアップ機能付きボトムスに関するものである。
【背景技術】
【０００２】
ボトムス、特にタイトスカートを始めとするスカートにおいては、着用したときに下腹部が締まって見えた方が見栄えが良いが、年齢とともに、また人によっては下腹部が弛んできて、スカートを着用したときに下腹部が出っ張って見えて、見栄えが悪くなる。
【０００３】
そこで、特許文献１においては、弾力性布等を用いて腹・下腹・腰の脂肪が引き締め合い、尻左右の脂肪を個別に引き締め上げ、背筋を伸ばす矯正着としての補整着を提案している。この補整着はＴバックの尻中央部分が腹部部分と引き合うように縫製され、また腰部分と下腹部部分が引き合うように縫製され、さらに尻中央部分と下腹部部分が股下部分を介して縫製されることによって、全体が連動され引き合うことによって皮下脂肪が引き締められるものとしている。
【特許文献１】特開２００２−２２７００４号公報
【発明の開示】
【発明が解決しようとする課題】
【０００４】
しかしながら、上記特許文献１に記載の補整着においては、その上に着用するボトムス（スカート・パンツ等）に当りが出て見栄えが悪く、着け心地も良くない。また、通常の下着の上に補整着を着用し、その上にさらに通常のボトムスを着用しなければならず、着脱が面倒であるという問題点があった。
【０００５】
そこで、本発明は、通常の下着の上に直接着用するだけで着心地良く下腹部を引き締めてスタイル良く見せることができるシェイプアップ機能付きボトムスを提供することを課題とするものである。
【課題を解決するための手段】
【０００６】
請求項１の発明にかかるシェイプアップ機能付きボトムスは、ファスナーを前中心以外の場所に設けたボトムスの前面裏側の下腹部が当接する部分に伸縮性を有する生地を縫付け、前記伸縮性を有する生地に裏地を前記伸縮性を有する生地を引伸ばした状態で縫付けたものである。
【０００７】
請求項２の発明にかかるシェイプアップ機能付きボトムスは、ファスナーを前中心以外の場所に設けたボトムスの前面裏側の下腹部が当接する部分を含む前記前面裏側の上部に伸縮性を有する生地を縫付け、前記伸縮性を有する生地に裏地を前記伸縮性を有する生地を引伸ばした状態で縫付けたものである。
【０００８】
請求項３の発明にかかるシェイプアップ機能付きボトムスは、ファスナーを前中心以外の場所に設けたボトムスの前面裏側の下腹部が当接する部分を含む腰回り上部全周に伸縮性を有する生地を縫付け、前記伸縮性を有する生地に前後の裏地を前記伸縮性を有する生地を引伸ばした状態で縫付けたものである。
【０００９】
請求項４の発明にかかるシェイプアップ機能付きボトムスは、請求項２または請求項３の構成において、前記伸縮性を有する生地を前記ボトムスの前面裏側の下腹部が当接する部分のみ二重に縫付けたものである。
【発明の効果】
【００１０】
請求項１の発明にかかるシェイプアップ機能付きボトムスは、ファスナーを前中心以外の部分、例えば脇部または後中心に設けたボトムスの前面裏側の下腹部が当接する部分に伸縮性を有する生地を縫付け、伸縮性を有する生地に裏地を伸縮性を有する生地を引伸ばした状態で縫付けたものである。
【００１１】
ここで、「伸縮性を有する生地」とはストレッチ性のある生地を意味し、パワーネット、サテンネット等を用いることができる。
【００１２】
これによって、裏地は着用していないときは伸縮性を有する生地が通常の状態（縮んだ状態）に戻っているため、伸縮性を有する生地との縫い目においては皺（ギャザー）がよった状態になっている。ここで、シェイプアップ機能付きボトムスを着用すると下腹部に当る部分の生地が伸縮性を有するために、縮もうとする力に逆らって裏地のギャザーが伸びてピンと張った状態となり、伸縮性を有する生地が縮もうとする力によって下腹部が出ている人でも押え付けられて平坦な下腹部のシルエットが得られる。そして、前中心にファスナーが設けられていないために、効果的に下腹部を押さえることができる。
【００１３】
このようにして、通常の下着の上に直接着用するだけで着心地良く下腹部を引き締めてスタイル良く見せることができるシェイプアップ機能付きボトムスとなる。
【００１４】
請求項２の発明にかかるシェイプアップ機能付きボトムスは、ファスナーを前中心以外の部分、例えば脇部または後中心に設けたボトムスの前面裏側の下腹部が当接する部分を含む前面裏側の上部に伸縮性を有する生地を縫付け、伸縮性を有する生地に裏地を伸縮性を有する生地を引伸ばした状態で縫付けたものである。
【００１５】
これによって、裏地は着用していないときは伸縮性を有する生地が通常の状態（縮んだ状態）に戻っているため、伸縮性を有する生地との縫い目においては皺（ギャザー）がよった状態になっている。ここで、シェイプアップ機能付きボトムスを着用すると下腹部が当接する部分を含む前面裏側の上部に当る部分の生地が伸縮性を有するために、縮もうとする力に逆らって裏地のギャザーが伸びてピンと張った状態となり、伸縮性を有する生地が縮もうとする力によって下腹部が出ている人でも押え付けられて平坦な下腹部のシルエットが得られる。そして、前中心にファスナーが設けられていないために、効果的に下腹部を押さえることができる。
【００１６】
このようにして、通常の下着の上に直接着用するだけで着心地良く下腹部を引き締めてスタイル良く見せることができるシェイプアップ機能付きボトムスとなる。
【００１７】
請求項３の発明にかかるシェイプアップ機能付きボトムスは、ファスナーを前中心以外の部分、例えば脇部または後中心に設けたボトムスの前面裏側の下腹部が当接する部分を含む腰回り上部全周に伸縮性を有する生地を縫付け、伸縮性を有する生地に前後の裏地を伸縮性を有する生地を引伸ばした状態で縫付けたものである。
【００１８】
これによって、前後の裏地は着用していないときは伸縮性を有する生地が通常の状態（縮んだ状態）に戻っているため、伸縮性を有する生地との縫い目においては皺（ギャザー）がよった状態になっている。ここで、シェイプアップ機能付きボトムスを着用すると下腹部が当接する部分を含む前面裏側の上部に当る部分の生地が伸縮性を有するために、縮もうとする力に逆らって前後の裏地のギャザーが伸びてピンと張った状態となり、伸縮性を有する生地が縮もうとする力によって下腹部が出ている人でも押え付けられて平坦な下腹部のシルエットが得られる。そして、前中心にファスナーが設けられていないために、効果的に下腹部を押さえることができる。
【００１９】
このようにして、通常の下着の上に直接着用するだけで着心地良く下腹部を引き締めてスタイル良く見せることができるシェイプアップ機能付きボトムスとなる。
【００２０】
請求項４の発明にかかるシェイプアップ機能付きボトムスは、伸縮性を有する生地をボトムスの前面裏側の下腹部が当接する部分のみ二重に縫付けたものである。ここで、二重に縫付けられる伸縮性を有する生地は同じ種類の生地であっても、異なる種類の生地であっても良い。
【００２１】
これによって、シェイプアップ機能付きボトムスを着用すると下腹部が当接する部分において伸縮性を有する生地が二重になっているために、伸縮性を有する生地が縮もうとする力がより強くなって下腹部が出ている人でもより強く押え付けられて平坦な下腹部のシルエットが得られる。そして、前中心にファスナーが設けられていないために、効果的に下腹部を押さえることができる。
【００２２】
このようにして、通常の下着の上に直接着用するだけで着心地良く下腹部を引き締めてスタイル良く見せることができるシェイプアップ機能付きボトムスとなる。
【発明を実施するための最良の形態】
【００２３】
以下、本発明の実施の形態について、図１乃至図４を参照して説明する。以下に示す本発明の実施の形態は、本発明のシェイプアップ機能付きボトムスをタイトスカートに適用した場合を例示するものである。
【００２４】
図１（ａ）は本発明の実施の形態にかかるシェイプアップ機能付きボトムスとしてのタイトスカートの全体構成を示す正面図、（ｂ）は背面図である。図２は本発明の実施の形態１にかかるシェイプアップ機能付きボトムスとしてのタイトスカートを裏返した状態をを示す正面図である。図３は本発明の実施の形態にかかるシェイプアップ機能付きボトムスとしてのタイトスカートを裏返した状態を示す背面図である。図４は本発明の実施の形態にかかるシェイプアップ機能付きボトムスとしてのタイトスカートの展開仕様を示す図である。
【００２５】
図１（ａ），（ｂ）に示されるように、本実施の形態にかかるシェイプアップ機能付きボトムスとしてのタイトスカート１は、ベルト部４が後中心ＢＣにおいて分離されてファスナー５が取付けられている。また、後中心ＢＣにはスリット６が設けられており、裏側に当て布７が取付けられている。そして、破線で示されるように、ベルト部４の下の腰回り裏側上部全周には伸縮性を有する生地としてのパワーネット３が縫付けられており、さらに下腹部が当接する部分には伸縮性を有する生地としてのパワーネット２が二重に縫付けられている。
【００２６】
したがって、タイトスカート１はファスナー５を前中心ＦＣ以外の場所である後中心ＢＣに設けたボトムスに相当し、かかるボトムス１の前面裏側の下腹部が当接する部分を含む腰回り上部全周に伸縮性を有する生地としてのパワーネット３を縫付け、伸縮性を有する生地としてのパワーネット２をボトムス１の前面裏側の下腹部が当接する部分のみ二重に縫付けたものである。
【００２７】
これらのパワーネット２，３を引伸ばした状態で、図２及び図３に示されるように、パワーネット２，３の下端に前面側の裏地９及び背面側の裏地１１が縫付けられる。その結果、図２及び図３に示されるように、着用していない状態においては裏地９及び裏地１１の上端に皺（ギャザー）９ａ，１１ａが形成される。なお、図２に示されるように、パワーネット２の前中心ＦＣには千鳥ミシンが掛けられ、パワーネット２，３の下端は裁ち切りで、裏地９及び裏地１１の上端はロック始末して縫付けられる。
【００２８】
また、図３に示されるように、スリット６の裏側に取付けられた当て布７にも裏地１０が縫付けられている。スリット６がなく、またはスリット６があっても当て布７がない場合には、背面の裏側も裏地１１がタイトスカート本体８の裾近傍まで設けられることになる。
【００２９】
さらに、図４の展開図に示されるように、ベルト部４にはタイトスカート本体８と同布の伸縮性のない生地が縫付けられるため、ベルト部４の芯としても伸縮性のないインベル芯４ｂが用いられ、ベルト部４の裏側には折り込み４ａが設けられている。
【００３０】
かかる構成を有するタイトスカート１を着用することによって、下腹部が当接する部分を含む前面裏側の上部に当る部分のパワーネット３が伸縮性を有するために、縮もうとする力に逆らって前後の裏地９，１１のギャザー９ａ，１１ａが伸びてピンと張った状態となり、伸縮性を有するパワーネット３が縮もうとする力によって下腹部が出ている人でも押え付けられて平坦な下腹部のシルエットが得られる。さらに、下腹部が当接する部分において伸縮性を有するパワーネット２で二重になっているために、縮もうとする力がより強くなって下腹部が出ている人でもより強く押え付けられて平坦な下腹部のシルエットとなる。そして、前中心ＦＣにファスナー５が設けられていないために、効果的に下腹部を押さえることができる。
【００３１】
このようにして、本実施の形態１にかかるシェイプアップ機能付きボトムスとしてのタイトスカート１は、通常の下着の上に直接着用するだけで、着心地良く下腹部を引き締めてスタイル良く見せることができる。
【００３２】
本実施の形態においては、シェイプアップ機能付きボトムスの具体例としてスカート（特にタイトスカート）について説明したが、ボトムスとしては他にも婦人用パンツ、紳士用ズボン、八部丈パンツ、膝丈パンツ等にも適用することができる。
【００３３】
また、本実施の形態においては、下腹部が当接する部分に当る部分が伸縮性を有するパワーネット２で二重になっているが、伸縮性を有するパワーネット３のみでも充分な効果が発揮される。さらに、伸縮性を有するパワーネット３を全周に亘って縫付けた場合について説明したが、下腹部が当接する部分を含む前面裏側上部のみに縫付けても良い。この場合でも、下腹部が当接する部分に当る部分をパワーネット２で二重に押さえることができる。さらには、下腹部が当接する部分に当る部分のみにパワーネット３を縫付けるだけでも、充分なシェイプアップ機能が発揮される。
【００３４】
本発明を実施するに際しては、シェイプアップ機能付きボトムスのその他の部分の構成、形状、数量、材質、大きさ、接続関係等についても、本実施の形態に限定されるものではない。
【図面の簡単な説明】
【００３５】
【図１】図１（ａ）は本発明の実施の形態にかかるシェイプアップ機能付きボトムスとしてのタイトスカートの全体構成を示す正面図、（ｂ）は背面図である。
【図２】図２は本発明の実施の形態１にかかるシェイプアップ機能付きボトムスとしてのタイトスカートを裏返した状態をを示す正面図である。
【図３】図３は本発明の実施の形態にかかるシェイプアップ機能付きボトムスとしてのタイトスカートを裏返した状態を示す背面図である。
【図４】図４は本発明の実施の形態にかかるシェイプアップ機能付きボトムスとしてのタイトスカートの展開仕様を示す図である。
【符号の説明】
【００３６】
１  シェイプアップ機能付きボトムス
２，３  伸縮性を有する生地
５  ファスナー
９，１１  裏地
９ａ，１１ａ  ギャザー
ＢＣ  後中心
ＦＣ  前中心
Ｓ  脇線
【図１】
2006193866.tif 000003
【図２】
2006193866.tif 000004
【図３】
2006193866.tif 000005
【図４】
2006193866.tif 000006